(57)【特許請求の範囲】
【請求項１】
標的表面を掃除するための掃除用品であって、
不織シートを備え、
親水性ギャザーストリップ（４４）要素が、細長い結合部にて前記不織シートに接合され、前記ギャザーストリップ要素は、互いに折り重ねられた複数の重畳された層を含み、前記層の複数は、前記結合部から外側に向かって延びるストリップを有し、前記ギャザーストリップ要素の前記各層が、坪量を有するセルロース系繊維の層と、坪量を有するポリオレフィン系繊維の層とを含み、前記セルロース系繊維の層は、前記ポリオレフィン系繊維の層よりも大きな坪量を有する、掃除用品。
【請求項２】
トウ繊維を含まない、請求項１に記載の掃除用品。
【請求項３】
取り付けスリーブを含まない、請求項２に記載の掃除用品。
【請求項４】
前記ギャザーストリップ要素が、少なくとも３つの重畳された層を含む、請求項１〜３のいずれか一項に記載の掃除用品。
【請求項５】
前記ギャザーストリップ要素が、前記結合部で互いに接合された少なくとも２つの独立したシートを含む、請求項４に記載の掃除用品。
【請求項６】
前記ギャザーストリップ要素の前記独立したシートのうち少なくとも１つが、自身の上にＺ折りされている、請求項５に記載の掃除用品。
【請求項７】
前記ギャザーストリップ要素が、前記結合部で互いに接合された少なくとも３つの独立したシートを含み、前記シートのそれぞれが蛇行状に折り畳まれている、請求項１〜６のいずれか一項に記載の掃除用品。
【請求項８】
前記ギャザーストリップ要素が、親水性セルロース系ギャザーストリップ（４４）を含む、請求項１〜７のいずれか一項に記載の掃除用品。
【請求項９】
前記ギャザーストリップ要素が、セルロース系繊維及びポリオレフィン系繊維の両繊維の混合物を含む、請求項８に記載の掃除用品。
【請求項１０】
前記ギャザーストリップ要素が、前記シートの近位にある第１の層と、前記シートの遠位にある外側層とを有し、前記第１の層は、前記外側層（４５）よりも広い幅を有する、請求項１〜９のいずれか一項に記載の掃除用品。
【請求項１１】
前記ギャザーストリップ要素が、逆ピラミッド形を有する、請求項１０に記載の掃除用品。
【請求項１２】
前記コアがコア幅を有し、前記ギャザーストリップ要素が、前記コア幅（４５）より大きいギャザーストリップ要素幅を有する、請求項１〜１１のいずれか一項に記載の細長い掃除用品。
【請求項１３】
前記ギャザーストリップ要素の各層を前記コア及び前記シートに接合する中央結合部と、前記コアに近接する少なくとも２つの層を前記シートに接合し前記コアには接合しない、前記中央結合部より外側寄りの２つの結合部とを有する、請求項１〜１２のいずれか一項に記載の細長い掃除用品。
【請求項１４】
掃除器具に取り外し可能に取り付けられる、請求項１〜１３のいずれか一項に記載の細長い掃除用品であって、前記掃除器具は、ヘッドと、前記ヘッドに枢動可能に取り付けられたハンドルとを含み、前記ヘッドは、前記掃除用品を取り外し可能に受け入れる、細長い掃除用品。
【発明の詳細な説明】
【技術分野】
【０００１】
本発明は、掃除用品に関し、より詳細には、標的表面から洗浄液を吸収する掃除用品に関する。
【背景技術】
【０００２】
様々な掃除用品が、ほこり取り及び軽い掃除のために開発されてきた。例えば、乾燥した状態で、あるいは研磨及び洗浄組成物によって濡れた状態で使用される、布きれ及びペーパータオルが、調理台、シャワー、シンク、床などの比較的平らな表面で使用されてきた。しかしながら、布きれ及びペーパータオルには、衛生状態（使用者の手が、化学薬品、汚れ、又は掃除中の表面に触れることがある）、届く範囲（布きれ又はペーパータオルを持った状態で、使用者の手を、届きにくい場所に入れることが困難であることがある）、及び不便さ（狭い間隔で配置された物の間を掃除する場合、通常、これらの物を移動させる必要がある）などの理由による問題がある。
【０００３】
布きれ及びペーパータオルの使用に伴うこれらの問題を克服するために、Ｈａｙｄｅｎによる１９０６年発行の米国特許第８２３，７２５号に記載のフェルト及び毛を使用したデバイスや、同第４，１４５，７８７号に記載の糸を使用したデバイスなどの、再利用可能な様々な集塵デバイスが、１世紀以上にわたって利用されてきた。再利用可能な集塵デバイスの問題に対処するため、限定的な再利用性を有する使い捨て掃除用品が開発されてきた。これらの使い捨て掃除用品は、米国特許第６，８１３，８０１号、同第７，００３，８５６号、同７，５６６，６７１号、同第７，７７９，５０２号、同第７，９３７，７９７号、同第８，１４６，１９７号、同第８，１５１，４０２号、同第８，１６１，５９４号、同第８，１８６，００１号、同第８，２４５，３４９号、同第８，５２８，１５１号、同第８，７５６，７４６号、同第８，７６３，１９７号に記載されたように、シートに取り付けられたトウ繊維と呼ばれる合成繊維束で作製されたブラシ部分を含み得る。
【０００４】
同第７，５６６，６７１号、同一出願人による同第７，８０３，７２６号、及び同一出願人による米国特許出願公開第２００８／００２８５６０号に開示されているように、使い捨てダスターは、湿式清掃用に提供されてもよい。しかし、トウ繊維は濡れるともつれた状態になることがあるため、広い又はひどく濡れた表面（例えば、床）の掃除には向いていない。このように、ダスターは、極めて広い又はひどく汚れた表面の掃除には適していないことがある。
【０００５】
広くかつ／又はひどく濡れた表面の問題を解決するために、バケツ一杯の液体に繰り返し浸したモップが使用されてきた。しかし、これらのモップは飽和状態になり、大量の汚れた液体を床に再付着させることがある。したがって、使い捨てフロアシートが開発されている。米国特許第７，１９１，４８６号及び同第７，７２１，３８１号に開示されているように、これらのフロアシートは、大量の吸収性セルロースを含んでもよく、同第９，０３２，５７７号に開示されているように、少なくとも２つの内側シートを含んでもよい。同一出願人による同第５，９６０，５０８号、同第６，００３，１９１号、同第６，０４８，１２３号、及び同第６，７６６，５５２号に開示されているように、フロアシートは、液体を更に吸収及び保持し易くするためにＡＧＭを含んでもよい。しかし、不溶性汚れが床から除去されない場合、又は可溶性汚れがフロアシートによって十分に吸収されない場合、縞（streaking）及び／又は薄膜（filming）が生じ得る。
【０００６】
この問題をきれいに解決する１つの試みは、マイクロファイバークリーニングパッドに見出される。マイクロファイバーパッドは、ナイロン製とすることができ、洗って再利用することが意図されている。しかし、以下に説明するように、マイクロファイバーパッドは、床を損傷し、依然として薄膜／縞を残す可能性がある。
【０００７】
この問題は、一部の新品の床材によって悪化する。例えば、特定の新品の床材は、色が比較的暗い。新品の床材は、比較的高い光沢レベルを有し、かつ／又は、表面エネルギーのせいで掃除中に濡れにくいことがある。これらの特性は、たとえ床の損傷が生じなくても、湿式清掃後に床に残っている薄膜／縞を強調する可能性がある。
【０００８】
更に他の試みによれば、米国特許第７，６９４，３７９号及び同一出願人による同第７，４８０，９５６号に開示されているように、クリーニングパッドに疎水性及び親水性の両方を具備させている。別の試みにおいては、同一出願人による同第７，０２８，３６４号に開示されているように、自由浮動カフを含んでいる。当技術分野におけるその他の関連する試みが、米国特許出願公開第２００３／０３００９９１号、同第２０１１／００４１２７４号、米国特許第６，２４５，４１３号、同第６，６８１，４３４号、同第６，７０１，５６７号、同第７，４５８，１２８号、同第７，６２４，４６８号、同第８，３４１，７９７号、同第８，７０７，５０５号、同第８，８６３，３４７号に含まれている。
【０００９】
これらの試みは、濡れた標的表面、詳細には床からの液体の吸収を目的としているが、問題は依然として残っている。概ね平坦なフロアシートは、掃除作業の間中、同一の表面を提供する。フロアシートが飽和していると、汚れを再付着させることがある。また、概ね平坦なフロアシートは、床の隙間又はグラウトラインを十分に清掃できない場合がある。再利用可能なマイクロファイバーフロアパッドを使用すると、床に損傷を与えることがある。
【先行技術文献】
【特許文献】
【００１０】
【特許文献１】米国特許第８２３，７２５号
【特許文献２】米国特許第４，１４５，７８７号
【特許文献３】米国特許第６，８１３，８０１号
【特許文献４】米国特許第７，００３，８５６号
【特許文献５】米国特許第７，５６６，６７１号
【特許文献６】米国特許第７，７７９，５０２号
【特許文献７】米国特許第７，９３７，７９７号
【特許文献８】米国特許第８，１４６，１９７号
【特許文献９】米国特許第８，１５１，４０２号
【特許文献１０】米国特許第８，１６１，５９４号
【特許文献１１】米国特許第８，１８６，００１号
【特許文献１２】米国特許第８，２４５，３４９号
【特許文献１３】米国特許第８，５２８，１５１号
【特許文献１４】米国特許第８，７５６，７４６号
【特許文献１５】米国特許第８，７６３，１９７号
【特許文献１６】米国特許第７，８０３，７２６号
【特許文献１７】米国特許出願公開第２００８／００２８５６０号
【特許文献１８】米国特許第７，１９１，４８６号
【特許文献１９】米国特許第７，７２１，３８１号
【特許文献２０】米国特許第９，０３２，５７７号
【特許文献２１】米国特許第５，９６０，５０８号
【特許文献２２】米国特許第６，００３，１９１号
【特許文献２３】米国特許第６，０４８，１２３号
【特許文献２４】米国特許第６，７６６，５５２号
【特許文献２５】米国特許第７，６９４，３７９号
【特許文献２６】米国特許第７，４８０，９５６号
【特許文献２７】米国特許第７，０２８，３６４号
【特許文献２８】米国特許出願公開第２００３／０３００９９１号
【特許文献２９】米国特許出願公開第２０１１／００４１２７４号
【特許文献３０】米国特許第６，２４５，４１３号
【特許文献３１】米国特許第６，６８１，４３４号
【特許文献３２】米国特許第６，７０１，５６７号
【特許文献３３】米国特許第７，４５８，１２８号
【特許文献３４】米国特許第７，６２４，４６８号
【特許文献３５】米国特許第８，３４１，７９７号
【特許文献３６】米国特許第８，７０７，５０５号
【特許文献３７】米国特許第８，８６３，３４７号
【発明の概要】
【発明が解決しようとする課題】
【００１１】
このため、濡れた表面に使用可能で、かつ、掃除作業中に動的に変化する面を提供する、使い捨ての略平面状掃除用品が必要とされている。
【課題を解決するための手段】
【００１２】
本発明は、層状構造を有する掃除用品を含んでいる。この掃除用品は、シートと、細長い結合部にて互いに接合されている親水性ギャザーストリップ要素とを含む。ギャザーストリップ要素は、互いに折り重ねられた複数の重畳された層を含んでいる。層の複数は、結合部から外側に延びるストリップを有する。
【図面の簡単な説明】
【００１３】
【図１】本発明の掃除用品の分解斜視図である。
【図２Ａ】図１の線２−２に沿った垂直断面の拡大図である。
【図２Ｂ】逆ピラミッド形ジオメトリーを有する、代替的な実施形態の掃除用品の垂直断面図である。
【図３】非直線形中央結合部ラインと逆ピラミッド形ジオメトリーとを有する、代替的な実施形態の破断した底面図であり、図には上部に正弦曲線状の結合部、下部にスポット状の結合部がある。
【図４Ａ】２つの中央結合部ラインを有する代替的な実施形態の底面図である。
【図４Ｂ】図４Ａの線４Ｂ−４Ｂに沿った垂直断面図である。
【図５Ａ】シート材を２つ有するギャザーストリップ要素の代替的な実施形態の垂直断面のスケーリングした図である。
【図５Ｂ】シート材を２つ有するギャザーストリップ要素の代替的な実施形態の垂直断面のスケーリングした図である。
【図５Ｃ】シート材を２つ有するギャザーストリップ要素の代替的な実施形態の垂直断面のスケーリングした図である。
【図５Ｄ】シート材を２つ有するギャザーストリップ要素の代替的な実施形態の垂直断面のスケーリングした図である。
【図５Ｅ】シート材を２つ有するギャザーストリップ要素の代替的な実施形態の垂直断面のスケーリングした図である。
【図５Ｆ】シート材を２つ有するギャザーストリップ要素の代替的な実施形態の垂直断面のスケーリングした図である。
【図５Ｇ】シート材を２つ有するギャザーストリップ要素の代替的な実施形態の垂直断面のスケーリングした図である。
【図６】本発明と共に使用可能なハンドルの斜視図である。
【図７】本発明と共に使用可能な床掃除器具の斜視図である。
【図８】市販のフロアシート及び本発明によるサンプルの縞及び薄膜性能のグラフ表示である。
【発明を実施するための形態】
【００１４】
図１を参照すると、掃除用品１０は、概ね細長い長方形であり得るが、他の形状も企図されるし、実行可能である。掃除用品１０は、床の掃除に適した掃除用品１０を提供するために、積層形態で接合された２つ以上の構成要素を含むことができる。掃除用品はシート１２を有することができ、このシート１２は、他の構成要素を取り付けるためのフレームを形成している。掃除用品１０はまた、ギャザーストリップ要素２５を有してもよく、ギャザーストリップ要素２５は、外側に向かって延び柔軟性を有し、積層されたストリップ１７の複数の層２７を有する。吸収性コアが、ギャザーストリップ要素２５とシート１２との間に配置されてもよい。
【００１５】
掃除用品１０は、使い捨ての場合がある。「使い捨て」とは、掃除用品１０が１回の掃除作業、あるいは概して数平方メートル以下に対して使用され、その後、廃棄されることを意味している。対照的に、再利用可能な掃除用品１０は、使用後、洗濯されるか、他の方法で元の状態に戻される。
【００１６】
掃除用品１０は、掃除用品１０を形成する、積層状態で接合され／折り重ねられた、少なくとも２つの、より好ましくは少なくとも３つ、４つ、又はそれ以上の薄層を有している。シート１２はまた、後述するように、床掃除器具への取り付け部を提供してもよい。特に規定のない限り、本明細書で使用される「接合」とは、２つの構成要素間における直接的かつ接触を伴う関係と、構成要素間に中間構成要素を有する関係とを含む。
【００１７】
掃除用品１０は、長手方向軸ＬＡと、それに直交する横方向軸ＴＡとを有し得る。掃除用品１０及びその各構成要素は、長手方向軸ＬＡに平行な２つの長手方向縁２０と、横方向軸ＴＡに平行な２つの横方向縁２２とを有し得る。
【００１８】
以下で説明するように、ストリップ１７は、有利には実質的に、あるいは好ましくは完全に、シート１２の占有面積内に含まれてもよい。詳細には、ストリップ１７の遠位端は、シート１２の２つの長手方向縁２０及び２つの横方向縁２２によって画定される占有面積内に含まれてもよく、その占有面積によって境界が定められてもよい。この構成によれば、使用者が掃除器具を床に押し付けたときにストリップ１７に直接圧力が加わるため、使用中にストリップ１７の可動性を促進し、使用中に掃除用品１０の動的表面積を標的表面に対して提供すると考えられる。
【００１９】
掃除用品１０の長さは、長手方向に測られる。掃除用品１０の幅は、長さ方向に対して直角であり、かつ、シート１２の面内の横方向に対応する。厚さは、Ｚ方向の寸法として定義される。ＸＹ面は、掃除用品１０によって画定される面によって定義される。掃除用品１０のＺ方向は、シート面に対して垂直な方向である。掃除用品１０は、２０〜５０ｃｍの長さ及び１０〜２０ｃｍの幅を有してもよい。詳細には、掃除用品は、後で説明するように、典型的な掃除器具７０のヘッドに適合するように、最大寸法で測定したとき、長さが３０＋／−２ｃｍであり、幅が１４＋／−２ｃｍであってもよい。任意のコアは、詳細には、幅が６．５＋／−２ｃｍであり、長さが２６＋／−２ｃｍであってもよい。当然のことながら、当業者であれば、本発明の範囲内において、他の形状が実現可能であることを理解するであろう。
【００２０】
掃除用品１０は、外側に向いた掃除面と、その反対側にある取り付け面とを有してもよい。掃除用品１０の取り付け面は、器具のヘッドへの取り付けのための、１つ以上の取り付けストライプ３０を有してもよく、例として、２つの平行なストライプ３０が図示されている。ストライプ３０は、フックを有する掃除器具のヘッドに対する相補的取り付け部として好適なループ要素を含んでもよい。
【００２１】
掃除用品１０は、１つの薄層、あるいは、向かい合わせの関係で接合されている２つ、３つ、又はそれ以上の薄層を有すると考えてもよい。薄層は、蛇行状に折り重ねられて、Ｚ方向に複数の薄層を提供してもよい。
【００２２】
より詳細には、掃除用品は、少なくとも１つのシート１２及び少なくとも１つのギャザーストリップ要素２５を有する構造を含んでもよい。シート１２及びギャザーストリップ要素２５は、向かい合わせの関係で、少なくとも１つの永続結合部によって接合されて、積層体を形成している。
【００２３】
シート１２は、ギャザーストリップ要素２５を取り付けるためのシャーシとして機能してもよい。本発明から逸脱しない限りにおいて、他の薄層及び特徴が、シート１２とギャザーストリップ要素２５との間に配置されてもよい。
【００２４】
詳細には、シート１２は、合成不織シート１２を含んでもよい。合成繊維を有するシート１２により、ギャザーストリップ要素２５をシートに接合し易くなる。当技術分野で知られているように、不織布には、スパンボンド方式、カード方式、及びエアレイド方式の材料が含まれ、不織布は、合成繊維から作製されている。好適な不織シートは、同一出願人による米国特許第６，７９７，３５７号に従って作製されてもよい。
【００２５】
好ましくは、シート１２はセルロースを含み、それによって吸収力を提供する。当技術分野で知られているように、セルロース系シート１２は、永続的な湿潤強度を有する樹脂を添加されてもよい。あるいは、吸収性及びバリア性の両方を提供するために、及びギャザーストリップ要素２５を接合するのに便利なように、シート１２は、好ましくは、セルロース系繊維及び合成繊維の混合物を含んでもよい。「セルロース系」とは、構成要素において、大部分の重量パーセントを、セルロース系繊維が占めていることを意味する。
【００２６】
シート１２及び／又はギャザーストリップ要素２５は、親水性であってもよい。これにより、掃除対象である表面から水分を有利に吸収する。「親水性」とは、概して、構成要素が、使用中に水分を吸収し、かつ過剰な圧縮力をかけられることのない通常の使用中において、その水分を保持することを意味する。
【００２７】
詳細には、親水性と疎水性との特性の対比は、以下のように測定してもよい。１グラムの材料サンプルを、約１１０℃にて１２時間オーブンで乾燥させ、その後、相対湿度６５％／２１℃で５日間調湿する。その後、そのサンプルを１１０°で１２時間再乾燥させる。得られた水分量を、水分率として測定する。
水分率＝［（相対湿度６５％で調湿したサンプルの総重量−乾燥後のサンプルの重量）÷乾燥したサンプルの重量］×１００％。
【００２８】
本明細書で使用するとき、「親水性材料」は、６５％での水分率が約２％、３％、４％、５％より多く、好ましくは約６％より多い。以下の表１に、相対湿度６５％で平衡する水分率（％）についての、異なる種類の繊維間の比較を示す。
【００２９】
【表１】
0006553751.tif 000002
【００３０】
親水性材料は、本明細書に記載の発明に有用であり得るが、この材料は、使い捨て掃除用品１０に使用される場合であっても、強度が十分でない場合がある。このため、適切な材料の選択が重要である。
【００３１】
例えば、ギャザーストリップ１７が１００％セルロースであると、湿潤摩擦係数が高くなりすぎて、使用者が、特定の標的表面内で掃除用品１０を移動させることが難しくなる場合がある。異なる材料を混合することにより、汚れを集めるための表面積を維持しつつ、湿潤摩擦係数を最適化することができる。また、材料が同じでも、長さが異なるギャザーストリップ１７を使用することにより、湿潤摩擦係数を過度に増加させることなく、掃除表面積を増加させることができ、それによって、標的表面内での移動が容易になる。
【００３２】
図２Ａ及び図２Ｂを参照すると、シート１２は、２層、３層、又はそれ以上の層の積層体を含んでもよい。詳細には、この積層体は、掃除器具に接触する、外側に向いた層１２Ａと、吸収用の中央層／コア１２Ｂと、ギャザーストリップ要素２５に接合する、内側に向いた層１２Ｃとの、３層を含んでもよい。
【００３３】
外側に向いた層１２Ａは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、Ｉｓｒａｅｌ）の４５ｇｓｍの不織布が好適であることが分かっている。本明細書においては、不織布は、織りあわされていない、エアレイド及び／又はウェットレイド繊維の混合物を有する構成要素である。
【００３４】
中央層／コア１２Ｂは、貯水層として機能することができ、ギャザーストリップ要素２５によって標的表面から集められた液体を吸収し、保持する。中央層／コア１２Ｂは、複合セルロース／合成エアレイドを含んでもよい。Ｓｕｏｍｉｎｅｎ（Ｈｅｌｓｉｎｋｉ、Ｆｉｎｌａｎｄ）から入手可能な８５：１５のセルロース：２成分繊維を含む１３５ｇｓｍのエアレイドが、好適である。
【００３５】
当技術分野で知られているように、中央層／コア１２Ｂは、更に、吸収性ゲル材料（ＡＧＭ）を含んでもよい。ＡＧＭは、吸収した液体の保持力を高め、掃除用品１０の能力を高め得る。掃除用品１０は、発泡体を有しなくてもよく、これにより、コストを節約する。
【００３６】
内側に向いた層１２Ｃは、スパンレース、すなわち水流交絡法などのプロセスを使用して合成不織布に結合された薄織物（tissue）として形成されたウェットレイド繊維の混合物を含んでもよい。内側に向いた層１２Ｃは、Ｓｕｏｍｉｎｅｎ（Ｈｅｌｓｉｎｋｉ、Ｆｉｎｌａｎｄ）によってＧｅｎｅｓｉｓ  ｔｉｓｓｕｅという名称で販売されている、２３ｇｓｍの薄織物（tissue）及び１７ｇｓｍのポリプロピレンスパンボンドの複合材料を含んでもよい。
【００３７】
所望により、専用のコア１２Ｂは、掃除用品１０に組み込まれていてもよい。専用のコア１２Ｂは、シート１２の層１２Ａ、１２Ｃのいずれかの間に配置されていてもよいし、あるいは、シート１２の内側又は外側に方向付けられた面の上に配置されていてもよい。詳細には、コア１２Ｂは、中央層を含んでいる場合がある。コア１２Ｂ及び／又は追加的な／代替的な中央層は、外側に向いた層１２Ａ及び内側に向いた層１２Ｃよりも幅が狭くてもよい。コア１２Ｂ及び／又は中央層は、外側に向いた層１２Ａ及び内側に向いた層１２Ｃの約半分の幅を有する場合があり、長手方向軸を中心として配置され得る。詳細には、コア１２Ｂ及び／又は中央層の幅は、取り付け材のストライプ３０間のスペースよりも小さい又は同等である。
【００３８】
コア１２Ｂ及び／又はシート１２及びギャザーストリップ要素２５の幅は、以下のように測定される。掃除用品１０を、平坦かつ水平な表面上に配置する。しわ及び一般的な平坦性に対するその他の乱れを取り除く。掃除用品を、指先でぴんと張って保持する。Ｌ．Ｓ．Ｓｔａｒｒｅｔｔ  Ｃｏ．（Ａｔｈｏｌ，ＭＡ）から一般に入手可能なＳｔｅｅｌ  Ｒｕｌｅ、Ｓｌｉｄｅ  Ｃａｌｉｐｅｒｓ、又はＴｏｏｌｍａｋｅｒｓ’Ｇｒａｄｅ  Ｓｑｕａｒｅを使用して、ギャザーストリップ１７及びコア１２Ｂの両端の間の幅を測定する。必要に応じて、外側に向いた層１２Ａ、１２Ｃ及び層２７を取り除いて、測定用に障害のないアクセスを提供してもよい。
【００３９】
コア１２Ｂの幅は、横方向軸に平行である横方向に沿って測定される。コア１２Ｂが可変幅を有する場合、最も狭い地点において幅が測定される。ギャザーストリップ要素２５の幅もまた、横方向に沿って測定される。ギャザーストリップ要素２５の幅は、長手方向軸を挟んで互いに反対側に配置され、かつ、ＸＹ面にある、対向するギャザーストリップ１７の遠位端の間で測定される。ギャザーストリップ要素２５、詳細には、ギャザーストリップ１７の両方の端が、可変幅を有する場合、最も広い地点において幅が測定される。（長手方向軸を挟んで等分される）少なくとも４、６、８、１０、１２、又は１４ｃｍの幅の差異が、本明細書に記載の実施形態に好適であると考えられる。
【００４０】
対向するギャザーストリップ１７及びコア１２Ｂの間の幅の差異により、ギャザーストリップ要素２５から送られてくる液体を保持するための、コア１２Ｂ及び／又は中央層１２Ｂの安定性が促進されると考えられる。更に、このジオメトリーにより、吸収された液体がギャザーストリップ１７から排水されやすくなると考えられる。更に、このジオメトリーにより、ギャザーストリップ１７の移動を促進すると考えられるギャップが生じ、通常の使用時に使用者が掃除用品１０を動かすと、標的表面に対して異なる部分を提供する。
【００４１】
３つの層１２Ａ、１２Ｂ、及び１２Ｃは、シート１２の形成のための当該技術分野において知られているように、接着剤及び／又は熱結合を使用して互いに永続的に接合され得る。任意の取り付け用ストライプ３０のループ要素が、外側に向いた層１２Ａの外側に向いた面に接合されて、掃除用品１０をハンドル６０又は器具に取り外し可能に接合し得る。ストライプ３０は、連続的又は非連続的であってよい。
【００４２】
図３を参照すると、掃除用品１０は、ギャザーストリップ要素２５内に配置された親水性ギャザーストリップ１７を更に含んでいる場合がある。本明細書においては、ギャザーストリップ１７とは、近位端から対応する遠位端へと外側に向かって延びるカンチレバーストリップを指す。個々のギャザーストリップ１７は、掃除用品１０の長手方向中央線にある、あるいは、その中央線からずれた近位端を有し、（横方向に測った）長さが対応する（長手方向に測った）幅よりも大きく、アスペクト比が少なくとも１、任意選択で２〜２０、及び任意選択で５〜１５であってもよい。ギャザーストリップ１７は、結合部３８に近接するそれぞれの近位端から、掃除用品の横方向縁に近接するそれぞれの遠位端までの長さが、３〜１５ｃｍ、４〜１２ｃｍ、あるいは詳細には５〜８ｃｍであってもよく、幅が、３〜２０ｃｍ、４〜１５ｃｍ、あるいは詳細には６〜８ｃｍであってもよい。これらの詳細な寸法は、掃除器具を用いた床掃除に使用される場合に好適であることが分かっている。
【００４３】
製造によって意図されるように、ギャザーストリップはＸＹ面内にあるが、使用前の毛羽立て、及び／又は、標的表面に対して動かすことにより使用中に生じる変形によって、ＸＹ面外へと変形する場合がある。ギャザーストリップ１７は、本明細書に記載されているシート１２のうちの１つに組み込まれていてもよいし、分離されたシート１２の上に配置されていてもよい。ギャザーストリップ１７は、用品の幅方向に平行に延びていてもよいし、用品の幅方向に対して鋭角の関係に配置されていてもよい。図に示すように、ギャザーストリップ１７は、直線的であってもよく、曲がっていてもよく、蛇行していてもよく、任意の所望の形状を有していてもよい。
【００４４】
ギャザーストリップ要素２５は、内側に向いた層１２Ｃに関して上述したものと同じ材料を含んでいてもよく、詳細には親水性であってよく、より詳細にはセルロースであってよい。当技術分野で知られているように、ギャザーストリップ要素２５及び／又はシート１２は、代替的又は追加的に、マイクロファイバーを含んでいてもよい。
【００４５】
図２Ａ及び図２Ｂを再び参照すると、ギャザーストリップ要素２５は、自身の上に蛇行状に折り重ねられた１つ以上の層を含み得る。この構成により、少なくとも二重、三重、又はそれ以上の厚さとなる。層２７が概ね横方向に方向付けられた個々のギャザーストリップに切断されると、二重の厚さは、それぞれのストリップ１７の遠位端でループを提供する。ループにより、Ｚ方向に重ねられたストリップ１７同士が離間し易くなるため、ループは有益であると考えられる。
【００４６】
折り重ね構成は、図に示すように、Ｃ折りで完成される場合がある。当業者であれば、Ｃ折りを多段に繋いで（cascade）、当技術分野で知られているＺ折り、Ｗ折り、又は他の複数層折り（Ｃ折りを含む）を得ることができることを理解するだろう。
【００４７】
ギャザーストリップ要素２５は、所望の吸収力及び意図する標的表面のテクスチャに応じて、ギャザーストリップ１７の層２７として２〜２５層、５〜２０層、詳細には約１０層を含み得る。各縁に、詳細には長手方向縁に配置されたギャザーストリップ１７は、遠位端におけるループと、ギャザーストリップ１７の遠位端における一重の厚さを有する自由端とを有利に含み得る。それによって、ギャザーストリップは、掃除中に反応差を示し、掃除中により多くの塵に届いて保持することが予測される。
【００４８】
詳細には、ギャザーストリップの反応差により、通常の使用条件下において、掃除中に、標的表面に対して動的に変化する表面積が提供されると考えられる。表面積を変化させることにより、より多くの液体及びそれに関連する塵を、標的表面から取り除くことができる。
【００４９】
３つの別個のギャザーストリップ材を有する非限定的なギャザーストリップ要素２５が図示されている。シート１２の近くにある上部シートは、自身の上で折り重ねられて、４つのギャザーストリップ層２７をもたらしている。その下の２つのギャザーストリップ１７層２７は、自身の上でＺ折りされて、それぞれ３つのギャザーストリップ層２７をもたらしている。
【００５０】
シート１２及びギャザーストリップ要素２５は、後述するように、複数の結合部３８によって接合され得る。結合部３８は、当技術分野で知られているように、熱、接着剤、又は超音波などによるものであってよい。
【００５１】
中央結合部３８は、掃除用品１０の全ての層２７／薄層を接合して、それによって、確実に一体構造にして、使用中に個々の構成要素が失われることを防止し得る。中央結合部３８は、ギャザーストリップ要素２５の全ての層２７に共通であり、ギャザーストリップ要素２５の各層２７を、直接的に又は間接的にシート１２に接合してもよい。
【００５２】
２つの外側寄りの結合部３８を設けて、ギャザーストリップ要素２５の、シート１２に近接している層２７のみを接合してもよい。本明細書に記載の実施形態では、外側寄りの結合部３８は、中央において横方向に少なくとも約７ｃｍ離間され得る。これにより、外側寄りの結合部は、コア１２Ｂより外側寄りに離間され、かつ、このコアに重ならない。外側寄りの結合部３８又は中央結合部３８は、これらの結合部が、ギャザーストリップ要素２５の層２７の一部を、直接的に又は間接的にシート１２に接合させるだけである場合、二次結合部３８と考えられ得る。
【００５３】
典型的には、ギャザーストリップ要素２５の層２７の全てが、少なくとも１つの結合部３８によってシート１２に接合される。シート１２の最も近くにある層２７が、第１の層２７と考えられ得る。その後に続く層２７は、シート１２に相対的に近くにあると考えられ、順に第２の層２７、第３の層２７、第４の層２７と考えられ得る。シート１２から遠く離れており、床の最も近くにある、あるいは床に接している層２７が、遠位層２７と考えられる。
【００５４】
結合部３８は、シート１２と長手方向に同一の広がりであってもよい、あるいは、シートよりもわずかに短くてもよい。好ましくない実施形態では、外側寄りの結合部は、シート１２から遠く離れていて近接していないギャザーストリップ要素２５の部分のみを結合している場合がある。
【００５５】
本構造によると、標的表面上に提供されるギャザーストリップ１７は相対的により長く、その内側ではギャザーストリップはより短い。長さが異なるギャザーストリップを有することにより、ギャザーストリップ１７を互いに独立して動かすことができ、また、互いを分離することができ、その結果、洗浄効果が向上する。ギャザーストリップ１７間を分離すること、詳細には、ギャザーストリップ１７を重畳された層として提供することは、掃除用品１０によって汚れを有効的にピックアップするためにも、その汚れを保持するためにも、掃除対象の表面に対して十分な面積を提供するという点で重要であると考えられる。このため、層２７は、１つ折り、複数折り、又は折り目無しで単純に重ね合わせることにより作成され得る。
【００５６】
図３を再び参照すると、ギャザーストリップ要素２５のシートへの接合は、正弦曲線状の結合部３８又はジグザグの結合部３８（これらは全て蛇行状結合部３８と総称される）あるいは他の非直線形結合部３８によってなされる場合がある。この結合部３８パターンにより、相対的により長いギャザーストリップ１７及び相対的により短いギャザーストリップの両方が、個別に提供される。また、ギャザーストリップ１７は、それぞれ、長手方向軸と平行でない近位端を有する。このジオメトリーにより、掃除中にギャザーストリップの捻じれや乱れを促進すると考えられる近位端が提供される。
【００５７】
代替的には、同一出願人による欧州特許出願第１５１６２８９５．５号、Ｐ＆Ｇ事件番号１３７４２Ｆに開示されているように、中央結合部３８は、分離した結合部３８の配列を含んでいる場合がある。分離した結合部３８は、通常の使用中における標的表面に対するギャザーストリップ要素２５の動的変化の提供を促進することが予測として考えられる。
【００５８】
長さの異なるギャザーストリップ１７により、使用中に、異なるストリップ１７及び／又はその部分が、標的表面に対して提供されると考えられる。ギャザーストリップ１７の不規則な近位端により、使用中に、異なるストリップ１７又はその部分が、標的表面に対して提供されると考えられる。
【００５９】
概して、使用中に、異なるギャザーストリップ１７及び／又はギャザーストリップ１７の異なる部分を、標的表面に対して提供することにより、掃除用品１０の飽和状態の部分が標的表面に接触したままにならないと考えられる。使用中にギャザーストリップ要素２５の異なる部分が提供されると、再付着が最小限となり、ギャザーストリップ要素２５の不飽和状態の部分を、標的表面に接触させて、標的表面から液体を吸収させて保持させることができる。標的表面に接触するギャザーストリップ要素２５の有効部分を動的に変化させることにより、洗浄が改善されると考えられる。意義深いことに、ギャザーストリップ要素２５の動的に変化する有効部分は、自動的に、かつ、通常の掃除の一部である通常の前後ストローク以外の使用者による介入無しに現れる。
【００６０】
好ましくは、掃除用品は、トウ繊維を有しない。濡れたときにもつれた状態になりひと塊になる傾向のあるトウ繊維は、洗浄効果を低下させる。しかし、あまり好ましくない実施形態では、掃除用品は、１つ以上のトウ繊維薄層を更に含んでいる場合がある。このトウ繊維薄層は、向かい合わせの関係でシート１２又はギャザーストリップ要素２５に接合されてもよい。トウ繊維薄層は、掃除中に標的表面に直接接触させるのに好適であり、そのように配置される場合がある。代替的には、トウ繊維薄層は、シート１２とギャザーストリップ要素２５との間に配置される場合がある。
【００６１】
トウ繊維は、合成物であり得る。本明細書で使用するとき、「束繊維」及び／又は「トウ」は、ポリエステル、ポリプロピレン、ポリエチレン、生物由来ポリマー（例えば、ポリ乳酸、バイオポリエチレン、バイオポリエステルなど）などを含む合成ポリマーを含む繊維を指す。トウ繊維はまた、セルロース、アセチルセルロース、亜麻、麻、黄麻、及びこれらの混合物などの天然物由来の繊維であり、個々の繊維は、束状に製造された比較的長いストランドである。束繊維は、区分可能な端部を有し、少なくとも約１ｃｍの長さである、任意の繊維として定義され得る。トウ繊維は、用品１０の横方向縁の間に、連続的かつ略横方向に延び得る。
【００６２】
シート１２（複数可）、ギャザーストリップ要素２５、及び任意のトウ繊維層（複数可）が、複数の永続結合部３８によって接合され得る。結合部３８は、離れた又は離脱したトウ繊維がほどけることを、最小限に抑える又は防ぐことを意図している。このようなシート１２（複数可）、ギャザーストリップ要素２５、及びトウ繊維層（複数可）は、典型的には、介在部材又は介在構成要素をその間に挟んで又は挟まずに、互いに直接重畳されている場合がある。
【００６３】
結合部３８（複数可）は、接着結合、熱結合、超音波結合などによって形成することができる。熱結合及び超音波結合においては、局所的な結合部３８部位に、エネルギー及び圧縮圧力が加えられる。合成シート１２及び合成トウ繊維は、そのような局所部位において溶融される。再凝固により、シート１２及びトウ繊維の局所的な材料が、そのような局所部位において共に再凝固され、結合部３８となる局所的な接合部が形成される。
【００６４】
所望により、シート１２は、外側に向いた液体不透過バリアによって被覆されていてもよい。このバリアにより、吸収された液体が、使用者の手や器具などに接触するのを防ぐ。好適なバリアには、当技術分野で知られているように、ＬＤＰＥフィルムが挙げられる。
【００６５】
図２Ｂを参照すると、ギャザーストリップ要素２５は、ギャザーストリップ要素２５の遠位縁に近づくほど減少する幅を有する、蛇行状に折り重ねられた部材を含んでもよい。このジオメトリーにより、使用時に逆ピラミッド形構造が提供される。ギャザーストリップ要素２５のこのような構造により、複数の幅を有するギャザーストリップ要素２５の複数の層２７を提供し得る。幅は、第１の層２７から遠位層２７に向かって減少してよく、詳細には第１の層２７から遠位層２７に向かって単調に幅が減少してもよい。逆ピラミッド形構造は、掃除中に、標的表面に対してより多くの縁を有利に提供することが予測として考えられる。
【００６６】
図４Ａ〜図４Ｂを参照すると、掃除用品には、ギャザーストリップ要素２５の全ての層２７をシート１２に接合する共通の結合部３８がない場合がある。その代わりに、第１の結合部３８が、１つ以上の近位層２７をシート１２に接合し得る。第２の接合部３８が、１つ以上の遠位層２７を近位層２７に接合し得る。このとき、この遠位層２７はシートに直接接合されない。この構成により、掃除用品１０が特にＺ方向に厚い場合に、１つの接合部３８が掃除用品１０の全ての構成要素を貫くことが避けられるという利点が提供されることが予測される。
【００６７】
任意選択的に、シート１２、ギャザーストリップ要素２５、及び／又は任意のトウ繊維の層のいずれかを、接着剤、ろう、ニュートン流体オイル若しくは非ニュートン流体オイル、又はそれらの組み合わせによって、完全に又は部分的にコーティングして、洗浄を改善すること、及び吸収された塵の保持性を増大し得る。所望により、任意選択的に、掃除用品１０を、洗浄溶液と共に、あるいは、例えば外観又は殺菌のための表面処理などの他の目的のために使用可能な他の溶液と共に使用することができる。洗浄溶液を掃除用品１０に予め適用して、予め湿らせた掃除用品１０を作り出してもよい。あるいは、洗浄溶液を別の容器に入れて、掃除用品１０及び／又は標的表面に１回分供給してもよい。洗浄溶液は、大部分が水であり、少なくとも約０．５、２、５又は１０重量％の固体、あるいは少なくとも約３０又は５０重量％の水性溶媒、非水性溶液、又はその混合物を含み得る。
【００６８】
図５Ａ〜図５Ｇを参照すると、種々の代替的なギャザーストリップ要素２５が示されている。各ギャザーストリップ要素２５は２つの層２５を有するものとして示されているが、当業者であれば、本発明はこのような構成に限定されないことを理解するであろう。ギャザーストリップ要素２５は、図示の結合部３８又はそれとは異なる結合部３８を有する、１つ、２つ、３つ、又はそれ以上の数の層２７を有し得る。また、当業者であれば、所望により、これらの実施形態の様々な組み合わせ及び混成体を組み合わせることにより、１つの掃除用品１０を得ることができることを理解するであろう。
【００６９】
図５Ａを参照すると、ギャザーストリップ要素２５はシート材を２つ含み、各シートは、開口したＣ折りを有してもよい。この構成により、一般的な前後の動きによる清掃に役立ち、概ね均等な厚さの掃除用品１０を提供する、概ね対称に対向するジオメトリーが有利に提供されることが予測として考えられる。
【００７０】
図５Ｂを参照すると、ギャザーストリップ要素２５はシート材を２つ含み、各シートは、より短い外脚を有するＺ折りを有してもよい。この構成により、概ね対称に対向するジオメトリーが有利に提供されることが予測として考えられる。掃除用品１０の各長手方向縁は、ループ状のギャザーストリップ１７及びギャザーストリップ１７の２つの自由端を提供する２つのＣ折りを有している。ギャザーストリップ１７の自由端及びループ端の両方と概ね一定の厚さとを提供するこの構成は、一般的な前後の動きによる清掃を手助けすると考えられる。
【００７１】
図５Ｃを参照すると、ギャザーストリップ要素２５はシート材を２つ含み、各シートは、互いに反対方向に方向付けられたＣ折りを有してよい。この構成により、概ね対称に対向するジオメトリーが有利に提供されることが予測として考えられる。掃除用品１０の各長手方向縁は、ループ状のギャザーストリップ１７及びギャザーストリップ１７の２つの自由端を提供するＣ折りを有している。ギャザーストリップ１７の自由端及びループ端の両方を提供するこの構成は、一般的な前後の動きによる清掃を手助けすると考えられる。
【００７２】
図５Ｄを参照すると、ギャザーストリップ要素２５は、それぞれが、同じ方向に方向付けられたＣ折りのシート材を２つ含んでいてもよい。この構成により、一方の長手方向縁にループ状のギャザーストリップ１７が、他方の長手方向縁にギャザーストリップ１７の自由端が、有利に提供されることが予測として考えられる。この構成により、様々な掃除作業に好適な、様々な種類のギャザーストリップ１７が提供される。
【００７３】
図５Ｅを参照すると、ギャザーストリップ要素２５はシート材を２つ含み、各シートは、より短い外側脚部を有するＺ折りを有し、かつＷ折りを提供するように配置されてもよい。この構成により、掃除用品１０の各長手方向縁に、２つの外側に向いたループ状のギャザーストリップが、有利に提供されることが予測として考えられる。
【００７４】
図５Ｆを参照すると、ギャザーストリップ要素２５は、相互に折り込まれたシート材を２つ含んでいてもよい。この構成により、概ね対称に対向するジオメトリーが有利に提供されることが予測として考えられる。掃除用品１０の各長手方向縁は、ループ状のギャザーストリップ１７を提供するＣ折り及びギャザーストリップ１７の１つの自由端を、厚みの増した中央領域と共に有している。厚みの増した中央領域を有することにより、使用中に、動いて床に対して異なる面領域を提供するギャザーストリップ１７が得られることが予測として考えられる。
【００７５】
図５Ｇを参照すると、ギャザーストリップ要素２５は、２つ以上の独立した蛇行状の層２７を含んでいてもよい。ギャザーストリップ要素２５は、それぞれ、専用の結合部３８によって、シート１２に接合され得る。このようなギャザーストリップ要素２５は、それぞれ、外側に延びるギャザーストリップ１７のバンクを２つ有し得る。この構成により、追加のギャザーストリップ１７が利用可能であり、内側に方向付けられたギャザーストリップ１７が使用中に絡み合い得るという利点が提供される。異なる機能を持つ異なるギャザーストリップ１７を有することにより、使用中に床に対して提供される動的な面領域の量が増加することが予測として考えられる。
【００７６】
当然のことながら、当業者であれば、上述した代替案の組み合わせ及び混成体が実行可能であり、本明細書において企図されることを理解するであろう。例えば、掃除用品１０は、更に２つの結合部３８のラインを有し得る。そのような結合部３８のラインのうち１つは直線であってもよいし、あるいは、結合部３８のラインの全てが非直線であってもよい。結合部３８のラインが３つ使用されている場合、例えば、中央の結合部３８のラインが直線である一方で、結合部３８のラインは、対称的に対向し蛇行していてもよい。あるいは、１つのギャザーストリップ要素２５が、結合部の複数のラインによってシートに接合されていてもよい。
【００７７】
図６を参照すると、掃除用品１０は、ハンドル６０に取り外し可能に取り付け可能であってもよい。詳細には、取り付けシステムにより、好適かつ任意選択的なハンドル６０に対して、掃除用品１０の取り外し可能な取り付けをもたらすことができる。掃除用品１０の取り付けシステム及び任意選択の相補的ハンドル６０の取り付けとしては、接着剤接合、粘着接合、スリーブなどを介した機械的係合を挙げることができる。ある１つの一般的な取り付けシステムは、ハンドル６０の歯（複数可）を挿入可能なスリーブを含む。好適なハンドル６０は、同一出願人による米国第８，５７８，５６４号及びＤ６７４，９４９Ｓに開示されている。
【００７８】
図７を参照すると、掃除用品１０は、器具７０に取り外し可能に取り付け可能であってもよい。詳細には、床掃除器具７０は、使用者が直立状態のままで床掃除できるようにすることができる。また、この床掃除器具は、洗浄溶液又は他の液体を床にスプレーするためにも提供され得る。典型的な床掃除器具７０は、使用者によって把持されるハンドル７２と、このハンドルに取り付けられた、好ましくは枢動可能にそれに取り付けられたヘッド７４とを有する。ヘッド７４は、床又は他の標的表面に接触して移動する。掃除器具７０は、ヘッドの底部に取り外し可能に取り付けられ得る。好ましくは、ストリップ１７は、使用中のヘッド７４の占有面積によって境界が定められており、それによって、掃除中のストリップ１７の動的移動が促進される。
【００７９】
掃除用品１０の器具７０への取り外し可能な取り付けは、接着剤、フック及びループシステム、並びにグリッパーを使用して実現することができる。グリッパー及び好適な掃除器具７０は、同一出願人による第６，４８４，３５６号に開示されている。好適なバキューム式器具７０が、第７，１３７，１６９号に開示されている。好適なスプレー式器具７０が、同一出願人による米国特許第５，８８８，００６号、同第５，９８８，９２０号、同第６，８４２，９３６号、同第７，１８２，５３７号、同第７，５３６，７４３号、同第７，６７６，８７７号、及び同第８，１８６，８９８号に開示されている。
【００８０】
掃除用品１０はまた、ハンドル６０や器具７０を使用せず、手で使用することもできる。所望により、本明細書に記載した様々な掃除用品１０をパッケージ化し、キットとして販売してもよい。この構成は、使用者が、異なる作業に対して異なる掃除用品１０の選択肢を有するという利益を提供する。例えば、所望により、複数サイズの掃除用品１０を、１つのキットとしてまとめて販売することができる。この構成により、使用者は、急な作業に対して最も好適な、特定の掃除用品１０を選択することができる。
【００８１】
本発明の掃除用品１０は、現代の木材／積層材に対する満たされていないニーズに対応すると考えられる。特定の掃除用品１０を、ストリップ１７の１０個の層２７を有するように構成する。各ストリップ１７の幅は、約７ｍｍである。１０個の層２７の全てが、中央結合部３８にて接合されている。シート１２に隣接しているシート１２に最も近い４つの層２７はまた、中央結合部３８より横方向外側寄りに配置された追加の結合部３８によっても接合されている。
【００８２】
上述した本発明の掃除用品１０及び２つの市販の対照サンプルに対してテストを行った。第１の対照サンプルは、当該譲受人によって販売されているＷｅｔＪｅｔフロアシートであった。このサンプルは、ＡＧＭを含有していた。また、これは、一般的に使い捨てと考えられている。第２の対照サンプルは、Ｂｏｎａによって販売されているマイクロファイバーフロアシートであった。また、これは、一般的に、複数回の掃除作業に再利用可能であると考えられている。これら２つのサンプルは、幅広い範囲の使い捨て及び再利用可能なフロアシートを表していると考えられる。
【００８３】
テストは、つや消しした黒色カード用紙上に配置された、厚さ６ｍｍの透明のポリカーボネート製プレキシガラス表面上で行われた。テスト対象の各サンプルについて、このサンプルの光沢度を、ＢＹＫ−Ｇａｒｄｎｅｒ光沢計を使用して測定した。
【００８４】
サンプル間の一貫性のために、ＢＹＫ−Ｇａｒｄｎｅｒ（商標）の‘Ｓｃｒｕｂ’Ａｂｒａｓｉｏｎ  Ｔｅｓｔｅｒというスクラブマシンを使用した。最初の光沢度測定の後で、２ｍＬの一般的な洗浄溶液（ＳｗｉｆｆｅｒのブランドでＷｅｔＪｅｔ液として販売されている）を、テスト表面に概ね均一にスプレーして、表面を処理した。２００グラムの重りを各サンプル上に置いた。各サンプルを、前後に５０回動かした。その後、テスト表面を空気乾燥させた。表面の最終光沢度を調べて、それぞれの読み取り値を差し引いた。
【００８５】
このテストに汚れは用いられなかった。つまり、光沢度の変化は、各サンプルによって生じた表面損傷を表す。
【００８６】
各サンプルに対して、４回繰り返してテストした。繰り返しのテストを、それぞれ、テスト表面内の３つの異なる場所で行い、光沢度への影響を測定した。結果を表２に示す。つまり、光沢度の変化に関する各エントリーは、１２個のデータポイントの平均を表している。各サンプルの相対表面積も測定した。
【００８７】
【表２】
0006553751.tif 000003
【００８８】
表２中のデータにより、Ｂｏｎａマイクロファイバーサンプルは、上述のようにテストしたとき、不利に、光沢度の著しい低下を引き起こすことが分かる。ＷｅｔＪｅｔサンプルによる光沢度の損失は、Ｂｏｎａマイクロファイバーサンプルに比べて少ない。光沢度の損失は、汚れのないテスト表面に対する通常の掃除によって、表面損傷が引き起こされ得ることを示している。理論によって束縛されるものではないが、このマイクロファイバーサンプルにおけるより大きな表面損傷は、ナイロンなどの比較的研磨性の材料を含んでいることによる可能性があると考えられる。
【００８９】
驚くべきことに、本発明のサンプルにおいては、光沢度の損失は最小限であり、差異はほぼ標準偏差内である。理論によって束縛されるものではないが、このマイクロファイバーサンプルにおけるより少ない表面損傷は、使用中に標的表面に対して動的な面領域を提供する可動ストリップ１７を有するという利点によるものであり得ると考えられる。
【００９０】
上記のテストが、Ｈｏｍｅ  Ｌｅｇｅｎｄ（Ｆｏｎｔａｎａ、ＣＡ）によって販売されている、ＲＮ１０４５７７サントスマホガニー加工ハードウッドプランクラミネート木質フローリング０．７７平方メートルを使用して反復された。このフローリングに、水／アルコール溶液中に懸濁させた約２％のＵｌｔｒａ  Ｆｉｎｅ  Ｄｕｓｔ（ＰＴＩ  ｓｏｉｌｓによって販売されている粘土質土壌）を含有する汚れをスパイクした。約２ｍＬのこの溶液を、塗料ローラーを使用してテスト表面に塗布し、空気乾燥させた。２ｍＬの洗浄溶液により、この汚れを再度湿らせた。その後、各サンプルを、このフローリングの上で前後に２５回動かした。その結果得られた、サンプル間の光沢度の差を、以下の表３に示す。
【００９１】
【表３】
0006553751.tif 000004
【００９２】
表３は、新品の床材上に粒子状汚れがあるという状況によるより厳しいテストであっても、本発明の掃除用品１０は、対照サンプルと比較して表面損傷の可能性が最小であったことを示している。
【００９３】
図８を参照すると、Ｂｏｎａフロアシート及び本発明のフロアシート１０のテストを、それぞれ、上述のＲＮ１０４５７７サントスマホガニー加工ハードウッドプランクフローリング上で、１０サイクル行った。フローリングを二等分し、各半分体をそれぞれ１つのサンプルに使用した。フローリングを洗浄し、初期光沢度を記録した。汚れ、油、及びイソプロピルアルコールの溶液を、フローリングに塗布し、空気乾燥させた。当該譲受人によって販売されている、市販のＷｅｔＪｅｔ洗浄溶液を、テスト表面にスプレーした。
【００９４】
各サンプルのテストは、前後に８回、各方向につき約２．８平方メートルをカバーするように拭くことによって行い、これを１サイクルとした。各サイクルが終わる度に、テスト表面の膜状態、つまり、曇りの発生と、縞との両方を測定した。このプロセスは、１０サイクルが終了するまで、同一のサンプルに対して繰り返し行われた。
【００９５】
図８により、市販のＢｏｎａマイクロファイバーサンプルが、主観的な可視検出閾値を上回る縞及び曇り度合いを示したことが分かる。概して、テスト全体を通して、両方の特性が好ましくない方向に増加した。対照的に、本発明の掃除用品１０は、全１０サイクルを通して、可視検出閾値（単位無し尺度において１）を大きく下回る縞及び曇り度合いを有利に示した。
【００９６】
本明細書に開示した寸法及び値は、記載された正確な数値に厳密に限定されるものと理解されるべきではない。むしろ、特に断らない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００９７】
相互参照される又は関連する特許又は出願等の、本願に引用される全ての文書は、明示的に除外される、又は別途限定されない限り、参照によりその全体が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９８】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅されることを意図したものである。
【図１】
0006553751.tif 000005
【図２Ａ】
0006553751.tif 000006
【図２Ｂ】
0006553751.tif 000007
【図３】
0006553751.tif 000008
【図４Ａ】
0006553751.tif 000009
【図４Ｂ】
0006553751.tif 000010
【図５Ａ】
0006553751.tif 000011
【図５Ｂ】
0006553751.tif 000012
【図５Ｃ】
0006553751.tif 000013
【図５Ｄ】
0006553751.tif 000014
【図５Ｅ】
0006553751.tif 000015
【図５Ｆ】
0006553751.tif 000016
【図５Ｇ】
0006553751.tif 000017
【図６】
0006553751.tif 000018
【図７】
0006553751.tif 000019
【図８】
0006553751.tif 000020